(57)【特許請求の範囲】
【請求項１】
画像を表示するディスプレイと、
前記ディスプレイに配設され、入力操作を受け付けるタッチパネルと、
所定物に対する物理量を検出し、当該検出した物理量を距離に換算した場合の値ｒが、近接検出閾値を距離に換算した場合の値Ｒ未満である場合に、近接状態を検出する近接検出手段と、
前記近接検出手段による近接の検出状態に応じて、電源を供給することで全ての機器を稼働対象とするパフォーマンスモードと、少なくとも前記タッチパネルへの電源供給を遮断する省エネモードとを切り換えるモード切換手段と、を備え、
前記モード切換手段は、前記パフォーマンスモードにおいて、近接検出手段で検出する物理量ｒが継続して同じ値である場合には、強制的に省エネモードに切り換え、
前記近接検出手段は、前記モード切換手段により強制的に省エネモードに切り換えた場合、近接を判断する閾値（距離換算値Ｒ）を、継続して検出している前記物理量ｒに変更する、
ことを特徴とする電源管理装置。
【請求項２】
前記モード切換手段は、前記省エネモードにおいて前記近接検出手段により近接状態を検出した場合に、直ちにパフォーマンスモードに切り換える、
ことを特徴とする請求項１に記載の電源管理装置。
【請求項３】
前記モード切換手段は、前記パフォーマンスモードにおいて非近接状態が所定時間以上継続した場合に、省エネモードに切り換える、
ことを特徴とする請求項１、又は請求項２に記載の電源管理装置。
【請求項４】
画像を表示するディスプレイと、前記ディスプレイに配設され、入力操作を受け付けるタッチパネルとを備えた電源管理装置の電源管理方法であって、
所定物に対する物理量を検出し、当該検出した物理量を距離に換算した場合の値ｒが、近接検出閾値を距離に換算した場合の値Ｒ未満である場合に、近接状態を検出する近接検出ステップと、
前記近接検出ステップによる近接の検出状態に応じて、電源を供給することで全ての機器を稼働対象とするパフォーマンスモードと、少なくとも前記タッチパネルへの電源供給を遮断する省エネモードとを切り換えるモード切換ステップと、からなり、
前記モード切換ステップは、前記パフォーマンスモードにおいて、近接検出検出ステップで検出する物理量ｒが継続して同じ値である場合には、強制的に省エネモードに切り換え、
前記近接検出ステップは、前記モード切換ステップにより強制的に省エネモードに切り換えた場合、近接を判断する閾値（距離換算値Ｒ）を、継続して検出している前記物理量ｒに変更する、
ことを特徴とする電源管理方法。
【請求項５】
画像を表示するディスプレイと、前記ディスプレイに配設され、入力操作を受け付けるタッチパネルとを備えた電源管理装置の電源管理プログラムであって、
所定物に対する物理量を検出し、当該検出した物理量を距離に換算した場合の値ｒが、近接検出閾値を距離に換算した場合の値Ｒ未満である場合に、近接状態を検出する近接検出機能と、
前記近接検出機能による近接の検出状態に応じて、電源を供給することで全ての機器を稼働対象とするパフォーマンスモードと、少なくとも前記タッチパネルへの電源供給を遮断する省エネモードとを切り換えるモード切換機能と、をコンピュータに実現させ、
前記モード切換機能は、前記パフォーマンスモードにおいて、近接検出機能で検出する物理量ｒが継続して同じ値である場合には、強制的に省エネモードに切り換え、
前記近接検出機能は、前記モード切換機能により強制的に省エネモードに切り換えた場合、近接を判断する閾値（距離換算値Ｒ）を、継続して検出している前記物理量ｒに変更する、
ことを特徴とする電源管理プログラム。
【発明の詳細な説明】
【技術分野】
【０００１】
本発明は、電源管理装置、電源管理方法、及び電源管理プログラムに係り、例えば、タッチパネルを有する表示装置や複数のＣＰＵ等に供給する電源の管理に関する。
【背景技術】
【０００２】
ディスプレイの表面に配置されたタッチパネル（タッチセンサ）から表示画面に応じた入力を行う表示装置が、タブレット型の携帯端末装置や、パーソナルコンピュータなどの各種電子機器において広く普及している。
そして表示装置に近接センサを配置することで、指等による画面への入力操作を事前に検出して、表示画面に入力用のアイコンを表示する技術が特許文献１で提案されている。
【０００３】
しかし、特許文献１記載の技術は、表示中の画面に入力操作用のアイコンを追加表示するものであり、その画面切り換えのトリガとして近接センサによる対象物の近接の検出を使用するものである。
【先行技術文献】
【特許文献】
【０００４】
【特許文献１】特開２０１０−２７７３７７号公報
【発明の概要】
【発明が解決しようとする課題】
【０００５】
本発明は、近接センサによる対象物の近接の検出を、電源管理に使用することを目的とする。
【課題を解決するための手段】
【０００６】
（１）請求項１に記載の発明では、画像を表示するディスプレイと、前記ディスプレイに配設され、入力操作を受け付けるタッチパネルと、所定物に対する物理量を検出し、当該検出した物理量を距離に換算した場合の値ｒが、近接検出閾値を距離に換算した場合の値Ｒ未満である場合に、近接状態を検出する近接検出手段と、前記近接検出手段による近接の検出状態に応じて、電源を供給することで全ての機器を稼働対象とするパフォーマンスモードと、少なくとも前記タッチパネルへの電源供給を遮断する省エネモードとを切り換えるモード切換手段と、を備え、前記モード切換手段は、前記パフォーマンスモードにおいて、近接検出手段で検出する物理量ｒが継続して同じ値である場合には、強制的に省エネモードに切り換え、前記近接検出手段は、前記モード切換手段により強制的に省エネモードに切り換えた場合、近接を判断する閾値（距離換算値Ｒ）を、継続して検出している前記物理量ｒに変更する、ことを特徴とする電源管理装置を提供する。
（２）請求項２に記載の発明では、前記モード切換手段は、前記省エネモードにおいて前記近接検出手段により近接状態を検出した場合に、直ちにパフォーマンスモードに切り換える、ことを特徴とする請求項１に記載の電源管理装置を提供する。
（３）請求項３に記載の発明では、前記モード切換手段は、前記パフォーマンスモードにおいて非近接状態が所定時間以上継続した場合に、省エネモードに切り換える、ことを特徴とする請求項１、又は請求項２に記載の電源管理装置を提供する。
（４）請求項４に記載の発明では、画像を表示するディスプレイと、前記ディスプレイに配設され、入力操作を受け付けるタッチパネルとを備えた電源管理装置の電源管理方法であって、所定物に対する物理量を検出し、当該検出した物理量を距離に換算した場合の値ｒが、近接検出閾値を距離に換算した場合の値Ｒ未満である場合に、近接状態を検出する近接検出ステップと、前記近接検出ステップによる近接の検出状態に応じて、電源を供給することで全ての機器を稼働対象とするパフォーマンスモードと、少なくとも前記タッチパネルへの電源供給を遮断する省エネモードとを切り換えるモード切換ステップと、からなり、前記モード切換ステップは、前記パフォーマンスモードにおいて、近接検出検出ステップで検出する物理量ｒが継続して同じ値である場合には、強制的に省エネモードに切り換え、前記近接検出ステップは、前記モード切換ステップにより強制的に省エネモードに切り換えた場合、近接を判断する閾値（距離換算値Ｒ）を、継続して検出している前記物理量ｒに変更する、ことを特徴とする電源管理方法を提供する。
（５）請求項５に記載の発明では、画像を表示するディスプレイと、前記ディスプレイに配設され、入力操作を受け付けるタッチパネルとを備えた電源管理装置の電源管理プログラムであって、所定物に対する物理量を検出し、当該検出した物理量を距離に換算した場合の値ｒが、近接検出閾値を距離に換算した場合の値Ｒ未満である場合に、近接状態を検出する近接検出機能と、前記近接検出機能による近接の検出状態に応じて、電源を供給することで全ての機器を稼働対象とするパフォーマンスモードと、少なくとも前記タッチパネルへの電源供給を遮断する省エネモードとを切り換えるモード切換機能と、をコンピュータに実現させ、前記モード切換機能は、前記パフォーマンスモードにおいて、近接検出機能で検出する物理量ｒが継続して同じ値である場合には、強制的に省エネモードに切り換え、前記近接検出機能は、前記モード切換機能により強制的に省エネモードに切り換えた場合、近接を判断する閾値（距離換算値Ｒ）を、継続して検出している前記物理量ｒに変更する、ことを特徴とする電源管理プログラムを提供する。
【発明の効果】
【０００７】
本願発明によれば、近接検出手段による近接の検出状態に応じてパフォーマンスモードと省エネモードとを切り換えるので、消費電力の抑制に近接手段を使用することができる。
【図面の簡単な説明】
【０００８】
【図１】本実施形態が適用される電源管理装置を用いた電源管理システムの全体を表した構成図である。
【図２】電源管理装置による全体処理の内容を表したフローチャートである。
【図３】モード切換処理について表したフローチャートである。
【発明を実施するための形態】
【０００９】
以下、本発明の電源管理装置、電源管理方法、及び電源管理プログラムにおける好適な実施の形態について、図１から図３を参照して詳細に説明する。
（１）実施形態の概要
本実施形態の電源管理装置は、近接センサによる対象物（指やタッチペン等の入力手段）の近接を監視し、近接を検出した場合に、表示装置に配置されるタッチパネルや、マルチコアＣＰＵに供給する電源をオフすることで、パフォーマンスモードから省エネモードへのモード切換を行う。
【００１０】
すなわち、近接センサが近接を検出した場合には、ユーザがタッチパネルなどの入力操作をしようとしていると判断できる。一方、検出しない場合には、ユーザは入力操作をしないと判断できる。そこで入力操作の有無について事前に検出するための近接センサをタッチパネルが配置される表示装置に配設する。
そして、ユーザの入力操作が行われる場合には、タッチパネルによる入力操作の検出や、入力操作に基づく各種処理のために、高いパフォーマンスでＣＰＵを稼働させる必要がある。例えば、タッチパネル上で指をドラッグさせた場合、タッチ（接触）及びドラッグ量を検出すると共に、ＣＰＵは、検出したドラッグ量に応じた量と方向に表示画面をスクロールさせる必要がある。
その一方で、入力操作が行われない場合には、タッチパネルからの入力検出や、高いパフォーマンスでのＣＰＵ稼働は不要になる。
【００１１】
そこで、電源管理装置は、近接センサが指等の入力手段の近接を検出している場合、パフォーマンスを優先するパフォーマンスモードとし、近接を検出していない場合、一部の電源供給をオフにする省エネモードとする。
すなわち、パフォーマンスモードにおいて、電源管理装置は、タッチパネルの電源をオンにし、タッチパネルを制御すると共に、マルチコアＣＰＵの場合に全てのＣＰＵ動作をフル稼動させる。
一方、省エネモードにおいて、電源管理装置は、タッチパネルの電源をオフにすると共に、マルチコアＣＰＵの場合、必要数のＣＰＵを動作させ、不要なＣＰＵは待機状態にする。また、タッチパネル操作に基づく処理や操作がされることがある周辺機器への電源供給もオフにする。
【００１２】
（２）実施形態の詳細
図１は本実施形態が適用される電源管理装置を用いた電源管理システムの全体を表した構成図である。
図１に示すように、電源管理装置１０は、タッチパネル３０と周辺機器４０、及びマルチコアＣＰＵ１４を電源管理の対象としている。
電源管理装置１０は、近接センサ１１を備えている。この近接センサ１１は、タッチパネル３０が配設される表示装置２０に配設されており、ユーザの指等の入力手段の近接を検出することでタッチパネル３０への入力操作を事前に検出する。
【００１３】
表示装置２０は、薄膜トランジスタ（ＴＦＴ）で構成されたディスプレイ２１を備え、各種画像や入力操作アイコンの画像が表示される。
例えば、表示装置２０が車両に搭載されたり、携帯されたりするナビゲーション装置に使用される場合、ディスプレイ２１には、経路探索用の入力画面が表示されたり、経路探索の結果が表示されたり、現在地周辺の地図が表示されたりする。また、ＤＶＤやテレビによる画像を表示する場合には、当該映像が表示されたり、操作画面が表示されたりする。その他、ナビゲーション用の操作画像や、ラジオやＣＤ、ゲーム等の各種搭載機能に応じた画面や入力操作画面が表示される。
【００１４】
表示装置２０の外枠（ディスプレイ２１を配設する枠）には、電源スイッチや、メニュースイッチなどの各種操作ボタン（パネルスイッチ）２２が配設されている。
【００１５】
表示装置２０の外枠の右下には近接センサ１１が配設されている。本実施形態における近接センサ１１は、赤外線を出力し、その反射光の照度から対象物（所定物）までの距離ｒを測定し、測定した距離が閾値Ｒ以下である場合に近接を検出する。
なお、近接センサ１１としては、対象物の近接を検出するための測定パラメータとして照度そのものを使用したり、音波や電磁波、反射時間等の距離に換算可能な物理量を測定するようにしてもよい。
本実施形態における近接センサ１１は、ディスプレイ２１の右下に１つ配置している場合を例に説明するが、複数個配置するようにしてもよい。すなわち、対象物の検出をしたい領域に応じて、左下や、左上等の他の箇所にも配置したり、４隅に配置したり、４辺に配置するようにしてもよい。いずれにしても、全体の近接センサ１１が近接を検出する範囲をどの範囲に設定するかにより、配置個数及び、１センサが近接を検出する距離が決定される。
【００１６】
タッチパネル３０は、ディスプレイ２１の表面に配設されており、タッチパネル３０の出力がコントロールＩＣ３３に出力されるようになっている。
コントロールＩＣ３３は、ユーザがタッチパネル３０上をタッチ（押圧）した場合に、当該タッチ位置の座標情報（ｘ，ｙ）を検出して、電源管理装置１０に供給する。
タッチパネル３０は、超音波方式、静電容量方式、光（赤外線）方式、歪み方式、抵抗膜方式のいずれの方式であってもよく、コントロールＩＣ３３は、タッチパネル３０の方式に応じた方法によりタッチ位置の検出を行う。
【００１７】
タッチパネル３０とコントロールＩＣ３３は、共通する電源生成部３１から電源の供給を受けて動作するようになっている。
この電源生成部３１と、タッチパネル３０、コントロールＩＣ３３とはスイッチ３２を介して接続されている。
スイッチ３２は、本実施形態におけるパフォーマンスモードと省エネモードとの切換の判断に基づいて、電源管理装置１０によりオン、オフされる。
【００１８】
また、タッチパネル３０による入力操作の有無に対応して、特定の処理や操作がされ得る周辺機器４０に対しても、スイッチ４２を介して電源生成部４１から電源供給が行われている。
このスイッチ４２についても、パフォーマンスモードと省エネモードとの切換の判断に基づいて、電源管理装置１０によりオン、オフされる。
【００１９】
なお、図１では、電源生成部３１と電源生成部４１を別々の電源として記載したが、共通の電源を使用するようにしてもよい。
但し、スイッチ３２とスイッチ４２は別々に配置され、別々にオン、オフが制御される。これは、各機器の処理や操作が必要となる状況が共通するか否かにより、すなわち、共通してオン、オフすることが可能な機器ブロック単位で１つのスイッチが配置される必要があるためである。
図１では、スイッチ３２、４２について例示したが、他の処理や操作状況の機器ブロックが存在する場合には、当該機器ブロック用のスイッチも配設される。
【００２０】
なお、電源管理ブロック１３は、パフォーマンスモードと省エネモードとの切換の判断に基づいて切換対象を個別に判断するのではなく、全ての機器への電源供給を一括してオン、オフするようにしてもよい。この場合の電源は、モード切換の対象となっている全機器に電源を供給する第１の電源系統と、モードの切換とは関係なく独立して電源供給される第２の電源系統とを設け、第１の電源系統に対してオン、オフ用のスイッチを配設する。
但し、後述するように、モードの切換に応じて電源のオン、オフをする機器ブロックではなく、周知技術を用いた省エネモードへの移行を行う機器ブロック（例えば、後述するマルチコアＣＰＵ１４）に対しては、電源オン、オフ用のスイッチを設けるのではなく、第３の電源系統（又は第２の電源系統を使用してもよい）による電源供給をし、モード切換情報を供給する。
【００２１】
電源管理装置１０は、センサ入力部１２、電源管理ブロック１３、及びマルチコアＣＰＵ１４を備えている。
センサ入力部１２は、近接センサ１１による測定値が入力される。
電源管理ブロック１３は、近接センサ１１の測定値を入力値として、パフォーマンスモードと省エネモードとの切換タイミングを判断し、当該判断に基づいて各スイッチ３２、４２、…のオン、オフの制御、及び、マルチコアＣＰＵ１４に対するモード切換情報を供給する。
【００２２】
電源管理ブロック１３は、図示しないＣＰＵ、ＲＯＭ、ＲＡＭ、記憶部を備えたコンピュータシステムにより構成されている。
電源管理ブロック１３は、本実施形態における全体処理、モード切換処理等の各種処理プログラムを備えており、ＣＰＵがこれらの処理プログラム等を実行することで、各供給に応じた処理を行うと共に、対象物の近接を検出してモードの切換を行う。
電源管理ブロック１３は、近接センサ１１で対象物が近接したか否かを判定するための閾値Ｒを記憶している。
また、電源管理ブロック１３は、近接を連続して検出していない時間ｔ（非近接時間）を計測するためのタイマを備えている。
更に電源管理ブロック１３は、現在設定されているモードがパフォーマンスモードか省エネモードかを区別するためのモードフラグを記憶している。このモードフラグは、フラグがオンの場合にパフォーマンスモード、オフの場合に省エネモードを表し、モードの切換毎に書き換えられるようになっている。
【００２３】
次に、以上のように構成された電源管理装置１０による、表示処理の動作について説明する。
図２は、電源管理装置１０による全体処理の内容を表したフローチャートである。
この全体処理は電源管理装置１０の電源がオンされることにより開始する。
電源管理ブロック１３は、電源オンにより全体フローを実行すると、最初に初期設定を行う（ステップ１０）。
この初期設定において、電源管理ブロック１３は、各機器、機器ブロックに対する電源を供給するため、全てのスイッチ３２、４２、…をオンにし、各機器に対する初期設定を行う。
ここで行う初期設定としては、表示装置２０のホワイトバランス調整や、近接センサ１１の出力調整や、近接を検出するための閾値Ｒの設定など、各機器に対応する初期設定を行う。
【００２４】
次いで電源管理ブロック１３は、後述するモード切換処理を行う（ステップ１１）。
そして、電源管理ブロック１３は、現在設定されているモード（パフォーマンスモード、省エネモード）に応じた処理を、各機器、機器ブロックに対して行う（ステップ１２）。
【００２５】
そして電源管理ブロック１３は、装置の電源がオフされたか否かを判断し（ステップ１３）、オフされていなければ（ステップ１３；Ｎ）、ステップ１１に戻って、モード切り換え処理と、その他の処理を繰り返す。
そして電源のオフにともない（ステップ１３；Ｙ）、全体フローも終了する。
【００２６】
図３は、モード切換処理について表したフローチャートである。
電源管理ブロック１３は、近接センサ１１の入力値ｒを読み取り（ステップ２２）、現在のモードがパフォーマンスモードか省エネモードかを、モードフラグのオン、オフから確認する（ステップ２３）。
【００２７】
モードフラグがオフであり、現在のモードが省エネモードである場合（ステップ２３；Ｎ）、電源管理ブロック１３は、指等の入力手段の近接を検出したか否かを判断する（ステップ２４）。
すなわち、電源管理ブロック１３は、ステップ２２で読み取った近接センサの入力値ｒと閾値Ｒとを比較し、入力値ｒが閾値Ｒ未満であれば近接と判断する。
省エネモードにおいて近接を検知しなければ（ステップ２４；Ｎ）、電源管理ブロック１３は、現状を維持したままメインルーチンにリターンする。
【００２８】
一方、入力手段の近接を検知した場合（ステップ２４；Ｙ）、ユーザによるタッチパネル操作が推測されるため、電源管理ブロック１３は、直ちに省エネモードからパフォーマンスモードに切り換える（ステップ２５〜ステップ２７）。
【００２９】
すなわち、電源管理ブロック１３は、現在電源オフしているブロックを判定する（ステップ２５）。
そして、電源管理ブロック１３は、電源オフしていると判定したブロックに対する電源をオンにする（ステップ２６）。
すなわち、電源管理ブロック１３は、タッチパネル３０とコントロールＩＣ３３に電源を供給するためのスイッチ３２と、周辺機器４０に電源を供給するためのスイッチ４２をオンにすると共に、マルチコアＣＰＵ１４に対してフル稼働を指示する情報を供給する。
【００３０】
電源管理ブロック１３は、電源をオンにした各ブロックに対する初期化処理を行い（ステップ２７）、メインルーチンにリターンする。
ここで電源管理ブロック１３が行う初期化処理は、全体処理において行う初期設定（ステップ１０）と同様の処理を電源をオンにしたブロックに対して行う。
【００３１】
ステップ２３に戻り、現在のモードがパフォーマンスモードである場合（ステップ２３；Ｙ）、電源管理ブロック１３は、ステップ２４と同様にして近接を検知したか否かを判断する（ステップ２９）。
そして、パフォーマンスモードにおいて、近接を検知した場合（ステップ２９；Ｙ）、電源管理ブロック１３は、現状を維持したままメインルーチンにリターンする。
【００３２】
一方、近接を検出していない場合（ステップ２９；Ｎ）、電源管理ブロック１３は、非近接時間ｔを経過したか否かを判断する（ステップ３０）。
すなわち、電源管理ブロック１３は、近接を検出していない状態が非近接時間ｔだけ継続しているか否かを判断する。
非近接時間ｔを経過していない場合（ステップ３０；Ｎ）、すなわち、連続して近接を検出していない時間が非近接時間ｔ未満である場合や、途中近接を検出（ステップ２９；Ｙ）した場合、電源管理ブロック１３はメインルーチンにリターンする。
【００３３】
一方、入力手段等の非近接状態を継続して非近接時間ｔだけ検出した場合（ステップ２９；Ｎ、ステップ３０；Ｙ）、電源管理ブロック１３は、パフォーマンスモードから省エネモードに切り換える（ステップ３１〜３３）。
このように、省エネモードからパフォーマンスモードへの切り換えは、ユーザの入力操作等に素早く対応するために、近接の検知により直ちにモードを切り換えるのに対し、パフォーマンスモードから省エネモードへは直ちに切り換えるのではなく、一定時間（非近接時間ｔ）の間だけ無操作の推測がされた後に切り換えている。これにより、短時間の間に入力手段が近づいたり離れたりした場合であっても、頻繁にモードが切り換えられることが防止され、無駄な切り換えに要する電力消費分を減らすことができる。
【００３４】
電源管理ブロック１３は、電源管理ブロック１３による電源管理対象となっているかくブロックのうち、電源オフするブロックを判定する（ステップ３１）。
すなわち、非操作状態が継続したため省エネモードに切り換える場合であっても、現在処理中の特定機能や稼働中の供給ブロックに対応して、処理や操作が必要となるブロックについては、電源オフの対象から除外される。例えば、ヴィジュアル、オーディオ、ナビゲーションの各機能の何れも使用していな場合であれば、省エネモードによりスピーカ関連ブロックの電源はオフされるが、ナビゲーション機能による音声案内が実行中である場合には、スピーカの電源はオフ対象から除外される。また、ナビゲーション機能による音声案内の実行中には、車両の現在位置の検出や検出した現在位置に対応する地図のスクロール等の処理パフォーマンスが高いため、マルチコアＣＰＵ１４は、省エネモードへの移行対象外とされる。
【００３５】
そして、電源管理ブロック１３は、電源オフするための前処理、例えば、必要なデータの保存等を行い（ステップ３２）、その後ステップ３１で判定したブロック（タッチパネルなど）の電源をオフにし、メインルーチンにリターンする。
すなわち、電源管理ブロック１３は、電源オフ対象となっているブロックに電源を供給するスイッチ３２、４２…をオフにすると共に、マルチコアＣＰＵ１４にモード切換情報を供給（オフ対象である場合）する。
【００３６】
以上、本発明の電源管理装置１０における１実施形態について説明したが、本発明は説明した実施形態に限定されるものではなく、各請求項に記載した範囲において各種の変形を行うことが可能である。
例えば、説明した実施形態では、省エネモードにおいて近接を検出した場合、直ちにパフォーマンスモードへの切り換えを行う場合について説明した。
しかし、例えば、近接センサ１１の近接検出範囲にペットボトル等が置かれると、常時近接センサが近接を検出する状態になってしまう。
そこで、省エネモードにおいて、近接を検出した場合には一旦パフォーマンスモードに切り換えるが、その後もステップ２２で読み取る入力値ｒが継続して同じ値である場合には、ペットボトル等の障害物が常設されたものと判断し、電源管理装置１０は、強制的に省エネモードに切り換える。
【００３７】
そして、ペットボトル等の障害物を検出して強制的に省エネモードに切り換えただけだと、変更後の省エネモードにおいて障害物による近接を検出してしまうことを回避するために、近接センサ１１で近距離を検出するための閾値Ｒの値を、ステップ２２で継続的に検出しているペットボトルまでの距離ｒに変更するようにしてもよい。
【００３８】
この場合、障害物が取り除かれたことが検出した場合、閾値Ｒをデフォルトの値Ｒ０に戻すようにする。
なお、障害物が取り除かれたか否かは、ステップ２２で読み取る近接センサの入力値が、変更後の閾値Ｒ（＝ｒ）よりも大きくなった場合に、障害物が取り除かれたと判断する。  
【００３９】
以上説明したように本実施形態の電源管理装置１０によれば、次の効果を得ることができる。
（１）近接センサ１１を表示装置２０に配設し、対象物（指等の入力手段）の近接の検出状態、非検出状態に応じて、各機器ブロックに電源を供給することで全てを稼働対象とするパフォーマンスモードと、一部の機器への電源供給を遮断（オフ）する省エネモードとを切り換えるようにしたので、消費電力を抑制することができる。
（２）また、省エネモードにおいては一部の機器への電源の供給が行われないため、電源がオフになっている機器からの余分な電磁ノイズを抑えることができる。
（３）省エネモードにおいて近接を検出した場合に、直ちにパフォーマンスモードに切り換えるので、ユーザの入力操作等に素早く対応することができる。
（４）一方、パフォーマンスモードにおいて非近接状態を検出しても、非検出状態が一定時間ｔ以上継続した場合に、省エネモードに切り換えることで、ユーザが断続的に入力操作を行うような場合であっても、モード切り換えが頻繁に行われることが回避される。
（５）パフォーマンスモードにおいて、ステップ２２で読み取る入力値ｒが継続して同じ値である場合には、強制的に省エネモードに切り換えると共に、近接センサ１１で近距離を検出するための閾値Ｒの値を、ステップ２２で継続的に検出しているペットボトルまでの距離ｒに変更するので、ペットボトル等の障害物が常設された場合であっても、モードが繰り返し変更されることを回避することができる。
【符号の説明】
【００４０】
１０  電源管理装置
１１  近接センサ
１２  センサ入力部１２
１３  電源管理ブロック
１４  マルチコアＣＰＵ
２０  表示装置
２１  ディスプレイ
２２  操作ボタン
３０  タッチパネル
３１  電源生成部
３２  スイッチ
３３  コントロールＩＣ
４０  周辺機器
４１  電源生成部
【図１】
0005733634.tif 000002
【図２】
0005733634.tif 000003
【図３】
0005733634.tif 000004